(57)【要約】【課題】容器の側面を加工せず、かつ蓋を外さないで送液作業を行うことができる送液用配管を提供する。【解決手段】容器１に送液するための送液用配管２であって、容器１の蓋に貫通して取り付けられた配管部２０と、送液するホース２１とが、雄カプラー２３と雌カプラー２２により、離脱自在に接続されることを特徴とする、送液用配管である。本発明の送液用配管２を用いることにより、容器１の側面を加工せず、かつ蓋を外さないで送液作業を行うことができるようになる。【選択図】図１
2020159409.tif 000002
【特許請求の範囲】
【請求項１】
容器に送液するための送液用配管であって、
容器の蓋に貫通して取り付けられた配管部と、送液するホースとが、雄カプラーと雌カプラーにより、離脱自在に接続されることを特徴とする、送液用配管。
【請求項２】
前記配管部は、容器の蓋の上方に配置される水平部分と、前記水平部分に接続された、容器の蓋を貫通する上下部分とを有することを特徴とする、請求項１に記載の送液用配管。
【請求項３】
前記容器の蓋の一部は透明であることを特徴とする、請求項１または２に記載の送液用配管。
【請求項４】
前記容器の蓋の一部は開閉自在であることを特徴とする、請求項１〜３のいずれか一項に記載の送液用配管。
【発明の詳細な説明】
【技術分野】
【０００１】
本発明は、送液用配管に関する。
【背景技術】
【０００２】
例えば、電化製品や半導体製品などから貴金属を回収するために王水などといった強酸性液体が用いられている。そのような貴金属の回収を行うリサイクル工場では、強酸性液体をメインタンクからポリドラム等の容器に送液して保存している。また、メインタンクから容器に強酸性液体を送液する場合、例えば、ホース先端にＵ字型ノズルを設けて容器の縁に引っ掛けて、ポンプを操作することで送液していた。従来、そのような送液に用いる手段として例えば特許文献１の給液装置が知られている。
【先行技術文献】
【特許文献】
【０００３】
【特許文献１】特開２００１−１３２６８１号公報
【発明の概要】
【発明が解決しようとする課題】
【０００４】
送液を行う場合、ＯＮ・ＯＦＦ操作はポンプ側にあるために、一人で作業をするには手が届く位置に送液するポリドラム等の容器がなければならず、一方の片手でスイッチ、他方の片手でノズルの先端を押さえて送液作業を行っていた。しかし、容器の蓋を開けてノズルを押さえて作業する必要があり、万一押さえてるノズルが手から外れた場合による跳ね返りで被液する恐れがあった。また、容器内の液面の高さを確認する場合、送液を完全に停止してから蓋を外して覗き込む必要があった。
【０００５】
本発明は、上記事情に鑑みてなされたものであり、容器の側面を加工せず、かつ蓋を外さないで送液作業を行うことができる送液用配管を提供することを目的とする。
【課題を解決するための手段】
【０００６】
上記課題を解決するために、本発明者は、まず容器の側面を加工して、そこに配管をユニオン（ねじ込み）で取り付けた。これにより、被液のリスクを無くすことができた。しかし、ユニオンでの配管取付では、作業が面倒な上に、取り付けに使用するパッキンを落としたりすることがあった。また、作業中に液面を確認するため容器の蓋を外す作業も面倒であった。本発明は、かかる試行錯誤を経て得られたものである。
【０００７】
すなわち本発明によれば、容器に送液するための送液用配管であって、容器の蓋に貫通して取り付けられた配管部と、送液するホースとが、雄カプラーと雌カプラーにより、離脱自在に接続されることを特徴とする、送液用配管が提供される。
【０００８】
この送液用配管において、前記配管部は、容器の蓋の上方に配置される水平部分と、前記水平部分に接続された、容器の蓋を貫通する上下部分とを有していても良い。また、前記容器の蓋の一部は透明であっても良い。また、前記容器の蓋の一部は開閉自在であっても良い。
【発明の効果】
【０００９】
本発明の送液用配管を用いることにより、容器の側面を加工せず、かつ蓋を外さないで送液作業を行うことができるようになる。
【図面の簡単な説明】
【００１０】
【図１】本発明の実施の形態に係る送液用配管の説明図であり、配管部とホースとを離脱させた状態を示す。
【図２】本発明の実施の形態に係る送液用配管の説明図であり、配管部とホースとを接続した状態を示す。
【図３】雄カプラーと雌カプラーを説明するための拡大断面図であり、配管部とホースとを離脱させた状態を示す。
【図４】雄カプラーと雌カプラーを説明するための拡大断面図であり、配管部とホースとを接続した状態を示す。
【発明を実施するための形態】
【００１１】
以下、本発明の一実施形態について、図面を参照しながら説明する。なお、本明細書および図面において、実質的に同一の機能構成を有する要素においては、同一の符号を付することにより重複説明を省略する。
【００１２】
図１、２は、本発明の実施の形態に係る送液用配管の説明図であり、図１は、配管部２０とホース２１とを離脱させた状態を示し、図２は、配管部２０とホース２１とを接続した状態を示している。
【００１３】
容器１は、例えばポリドラムであり、王水などといった強酸性液体を収納することができる。容器１の蓋の一部は透明の窓１０で形成されている。窓１０は、厚さ１０ｍｍ程度の塩化ビニル製の透明板からなる。この窓１０を通じて、容器１内の様子を外から見ることができる。また、容器１の蓋の側方には、蓋の一部を開閉自在とした開閉カバー１１が設けられている。この開閉カバー１１を開けることにより、容器１内の様子を直接目視することができる。
【００１４】
本発明の実施の形態に係る送液用配管２は、容器１の蓋に貫通して取り付けられた配管部２０と、図示しないメインタンクから強酸性液体などの液体を送液するホース２１を備えている。配管部２０の先端には、雌カプラー２２が装着され、ホース２１の先端には、雄カプラー２３が装着されている。これら雌カプラー２２と雄カプラー２３とにより、配管部２０の先端にホース２１の先端が離脱自在に接続される。
【００１５】
配管部２０は、容器１の蓋よりも上方に配置される水平部分２０ａと、この水平部分２０ａに接続された、容器１の蓋を貫通する上下部分２０ｂとを有している。配管部２０の水平部分２０ａの先端には、雌カプラー２２が装着されている。上下部分２０ｂは、容器１の蓋を上下方向に貫通し、上下部分２０ｂの下端は、容器１の内部上方において開放されている。この配管部２０には、例えば塩化ビニル製のＬ型エルボのパイプからなる。
【００１６】
ホース２１にはポンプ２５が装着されており、図示しないメインタンクに溜められている強酸性液体などの液体が、このポンプ２５の稼働によってホース２１内を送液される。
【００１７】
図３、４は、雄カプラー２３と雌カプラー２２を説明するための拡大断面図であり、図３は、配管部２０とホース２１とを離脱させた状態を示し、図４は、配管部２０とホース２１とを接続した状態を示している。
【００１８】
雄カプラー２３は、円筒形状の挿入部３０を有しており、この挿入部３０の外周面には、カム部３７を挿入させるための凹部３１が設けられている。雌カプラー２２は、雄カプラー２３の挿入部３０を受け入れる受け入れ部３５を有しており、この受け入れ部３５には、カムレバー３６のカム部３７が、突出自在となっている。
【００１９】
カムレバー３６は、軸３８を中心に回動自在であり、図３に示すように、軸３８を中心にしてカムレバー３６を配管部２０から外側に開くように回動させると、カム部３７が受け入れ部３５から外側に引っ込んだ状態となる。一方、図４に示すように、軸３８を中心にしてカムレバー３６を配管部２０の外面に近づけるように回動させると、カム部３７が受け入れ部３５内に突出した状態となる。
【００２０】
図３に示すように、カムレバー３６を配管部２０から外側に開くように回動させて、カム部３７を受け入れ部３５から外側に引っ込ませた状態では、雄カプラー２３の挿入部３０を、雌カプラー２２の受け入れ部３５に挿入することができ、また、雄カプラー２３の挿入部３０を、雌カプラー２２の受け入れ部３５から抜き取ることができる。一方、図４に示すように、雄カプラー２３の挿入部３０を、雌カプラー２２の受け入れ部３５に挿入した状態で、カムレバー３６を配管部２０の外面に近づけるように回動させて、カム部３７を受け入れ部３５内に突出させると、雄カプラー２３の挿入部３０の外周面に設けられた凹部３１にカム部３７が入り込み、これにより、雌カプラー２２の受け入れ部３５に挿入した雄カプラー２３の挿入部３０が固定される。こうして、配管部２０の先端にホース２１の先端が接続された状態となる。
【００２１】
雌カプラー２２の受け入れ部３５の最奥部には、パッキン（Ｏリング）４０が配置してあり、図４に示すように、配管部２０の先端とホース２１の先端を接続した状態では、雄カプラー２３の挿入部３０の先端面がパッキン４０に密着し、これにより、配管部２０の先端とホース２１の先端とが水密状態で接続される。
【００２２】
雌カプラー２２には、複数本のカムレバー３６が装着されている。このため、雌カプラー２２の受け入れ部３５に挿入した雄カプラー２３の挿入部３０を、複数のカム部３７によってしっかりと固定することができる。
【００２３】
以上のように構成された本発明の実施の形態に係る送液用配管２にあっては、雌カプラー２２と雄カプラー２３によって、配管部２０の先端とホース２１の先端とを容易に水密状態で接続することができる。そして、配管部２０の先端とホース２１の先端とを接続した状態で、ポンプ２５を稼働することにより、図示しないメインタンクに溜められている強酸性液体などの液体を、ホース２１および配管部２０を介して容器１に送液することができる。このように、本発明の送液用配管２を用いることにより、容器１の側面を加工せず、かつ容器１の蓋を外さないで送液作業を行うことができるようになる。
【００２４】
容器１の蓋を外さないで済むので、跳ね返りで作業者に被液する心配がない。また、容器１の蓋に形成された窓１０を通じて、容器１内の様子を外から見ることができるので、容器１内の液面の高さを確認するのに蓋を外す必要が無い。なお、容器１の蓋の側方に設けられた開閉カバー１１を開けることにより、容器１内の様子を直接目視することも可能である。
【００２５】
以上、本発明の一実施形態について説明したが、本発明はかかる実施の形態に限定されない。当業者であれば、特許請求の範囲に記載された技術的思想の範疇内において、各種の変更例または修正例に想到しうることは明らかであり、それらについても当然に本発明の技術的範囲に属するものと了解される。
【００２６】
例えば、配管部２０とホース２１を接続する雌カプラー２２と雄カプラー２３は図示の構造に限らず、離脱自在に接続可能な他の形態でも構わない。
【実施例】
【００２７】
以下、本発明の一実施例について説明する。
（実施例１）
図１に示すように、ホース２１（ＰＶＣ製で内径φ２５ｍｍ）を５ｍ用意し、モータポンプ（ポンプ）２５を介してメインタンク（図では省略）と接続した。汲み上げた液体を容量２００Ｌのポリドラム（容器）１へ供給した。モータポンプ２５には、名東化工機社製のケミカルハンディポンプを用い、ＡＣ１００Ｖの駆動電源で４８Ｌ／分で汲み上げを行った。
ホース２１からポリドラム１への接続は、ポリドラムの蓋に貫通させた配管部２０（給水栓エルボ）を用い、配管部２０とホース２１は雌カプラー２２と雄カプラー２３で図４に示すように漏水しないように接続した。ポリドラムの蓋は、上面の一部を透明塩ビ板（１０ｔ）で形成し、その一部を透明塩ビ板（５ｔ）による開閉可能な窓１０を設置した。
【００２８】
モータポンプ２５を駆動させて、メインタンク内の溶液を汲み上げて、ポリドラム１に２００Ｌを送液する操作を合計５つのポリドラムに対して行った。各ポリドラムの蓋には予め配管部２０を設け、ホース２１を付け替えるだけでポリドラムの交換が行えるようにした。
１０００Ｌの送液作業に要した時間は、計１４００秒であり、ポリドラム１つあたり２８０秒を要した。
実施例１では、カプラーにより離脱自在に接続したため、ポリドラム交換時の作業性が良いため、安全かつスムーズに作業を行えた。
【００２９】
（比較例１）
メインタンクからのホース２１に取り付けたＵ字型の吐出パイプをポリドラムに引っ掛けて、メインタンクからの溶液を実施例１と同様に合計５つのポリドラムへ送液した。
１０００Ｌの送液作業に要した時間は、計２０００秒であり、ポリドラム１つあたり４００秒を要した。
比較例１では、Ｕ字型の吐出パイプを手で押さえる必要があり、ポリドラムの蓋を開けての作業となるため、液はねが発生した。
【００３０】
（比較例２）
ポリドラム１の側面に配管をユニオン（ねじ込み）してホース２１を取り付け、メインタンクからの溶液を実施例１と同様に合計５つのポリドラムへ送液した。
１０００Ｌの送液作業に要した時間は、計２５００秒であり、ポリドラム１つあたり５００秒を要した。
比較例２では、ホース２１を次のポリドラムにユニオンにより取り付ける作業が面倒であり時間を要した。また、ユニオン部からの漏液も発生した。更に、液面を確認するのに、蓋を外さないとならず時間を要した。
【産業上の利用可能性】
【００３１】
本発明は、液体の送液に利用することができる。
【符号の説明】
【００３２】
１  容器
２  送液用配管
１０  窓
１１  開閉カバー
２０  配管部
２０ａ  水平部分
２０ｂ  上下部分
２１  ホース
２２  雌カプラー
２３  雄カプラー
２５  ポンプ
３０  挿入部
３１  凹部
３５  受け入れ部
３６  カムレバー
３７  カム部
３８  軸
４０  パッキン
【図１】
2020159409.tif 000003
【図２】
2020159409.tif 000004
【図３】
2020159409.tif 000005
【図４】
2020159409.tif 000006